(57)【特許請求の範囲】
【請求項１】
車室フロアの載置スペースに載置された車椅子を固縛する固縛ベルトと、
前記固縛ベルトを車体に連結するための車体連結部と、
前記車室フロアに固定され、前記固縛ベルトを挿通することで、前記車体連結部と前記車椅子との間の前記固縛ベルトの配置を規制可能なベルトガイドと、を備え、
前記ベルトガイドが、互いに異なる位置に複数固定され、
前記車椅子の形態及び大きさに応じて前記ベルトガイドが選択されて該ベルトガイドに前記固縛ベルトを挿通することで、前記車体連結部と前記車椅子との間に配置される前記固縛ベルトの配置が変更される、福祉車両。
【請求項２】
前記車体連結部はリトラクタを有する、請求項１に記載の福祉車両。
【請求項３】
前記載置スペースの隣接位置に前記固縛ベルトの配置が許容されない領域が設けられ、少なくとも一つの前記ベルトガイドは前記領域の周縁部又は周縁部より外側に固定されている、請求項１又は２に記載の福祉車両。
【請求項４】
固縛ベルトを挿通してガイドするベルトガイドにおいて、
固定位置に固定されるベース部と、
一端側が前記ベース部に揺動自在に支持され、他端側に前記固縛ベルトの一方面及び両側縁をガイドする凹部が設けられた第１ガイド部と、
前記第１ガイド部と共に揺動自在であり、前記凹部との間に前記固縛ベルトの挿通間隙が形成される第２ガイド部と、を備え、
前記挿通間隙は、前記凹部より外側に前記固縛ベルトを幅方向に挿脱可能な端部開口を有していることを特徴とする、ベルトガイド。
【請求項５】
前記第１ガイド部及び第２ガイド部は屈曲形状に形成され、前記第２ガイド部の一端側は前記第１ガイド部の一端側に連結され、前記第２ガイド部の他端側は前記第１ガイド部の凹部の内側に配置されている、請求項４に記載のベルトガイド。
【請求項６】
前記第１ガイド部の一端と他端との間の間隙が、前記挿通間隙から連続した前記第２ガイド部により覆われている、請求項５に記載のベルトガイド。
【発明の詳細な説明】
【技術分野】
【０００１】
本発明は、車室フロアに車椅子を載置して固縛ベルトで固定できる福祉車両及びベルトガイドに関する。
【背景技術】
【０００２】
従来、車室フロアに車椅子を載置して固縛ベルトで固定できるようにした福祉車両が知られている。特許文献１では、長さ調整可能な固縛ベルトを車室フロアに連結して設け、固縛ベルトと車椅子のフレーム等のベルト部材とを着脱可能に連結する車両の車椅子固縛装置が開示されている。特許文献２，３のように、ベルトを用いて乗員や物品を固縛したり係止したりする構造も知られている。
【先行技術文献】
【特許文献】
【０００３】
【特許文献１】特開２００２−２０９９４６号公報
【特許文献２】特開平１１−１４７４４９号公報
【特許文献３】特開２００４−１２３３６４号公報
【発明の概要】
【発明が解決しようとする課題】
【０００４】
しかしながら従来の福祉車両では、載置される車椅子近傍の車室フロアに固縛ベルトを連結するとすれば、載置して固定できる車椅子の形態や大きさ次第で制約が大きくなる。一方、車椅子から離間した位置で車室フロアに固縛ベルトを連結するとすれば、車室フロアと車椅子との間に架け渡される固縛ベルトが空間中に配置されることになり、車室空間を使用する際に邪魔になっていた。空間中に配置される固縛ベルトが後部シートと大きく干渉するため後部シートが使用できないこともあった。
【０００５】
そこで本発明は、固定可能な車椅子の形態や大きさの自由度が大きく、しかも車椅子を固定していても車室空間を使用する際に固縛ベルトが邪魔にならないようにした福祉車両とベルトガイドを提供することを目的とする。
【課題を解決するための手段】
【０００６】
上記目的を達成するために本発明では以下の手段を講じる。
［１］  車室フロアの載置スペースに載置された車椅子を固縛する固縛ベルトと、
前記固縛ベルトを車体に連結するための車体連結部と、
前記車室フロアに固定され、前記固縛ベルトを挿通することで、前記車体連結部と前記車椅子との間の前記固縛ベルトの配置を規制可能なベルトガイドと、を備え、
前記ベルトガイドが、互いに異なる位置に複数固定されており、
前記車椅子の形態及び大きさに応じて前記ベルトガイドが選択されて該ベルトガイドに前記固縛ベルトを挿通することで、前記車体連結部と前記車椅子との間に配置される前記固縛ベルトの配置が変更される、福祉車両。
［２］  前記車体連結部はリトラクタを有する、前記［１］に記載の福祉車両。
［３］  前記載置スペースの隣接位置に前記固縛ベルトの配置が許容されない領域が設けられ、少なくとも一つのベルトガイドが前記領域の周縁部又は周縁部より外側に固定されている、前記［１］又は［２］に記載の福祉車両。
［４］  固縛ベルトを挿通してガイドするベルトガイドにおいて、
固定位置に固定されるベース部と、
一端側が前記ベース部に揺動自在に支持され、他端側に前記固縛ベルトの一方面及び両側縁をガイドする凹部が設けられた第１ガイド部と、
前記第１ガイド部と共に揺動自在であり、前記凹部との間に前記固縛ベルトの挿通間隙が形成される第２ガイド部と、を備え、
前記挿通間隙は、前記凹部より外側に前記固縛ベルトを幅方向に挿脱可能な端部開口を有していることを特徴とする、ベルトガイド。
［５］  前記第１ガイド部及び第２ガイド部は屈曲形状に形成され、前記第２ガイド部の一端側は前記第１ガイド部の一端側に連結され、前記第２ガイド部の他端側は前記第１ガイド部の凹部の内側に配置されている、前記［４］に記載のベルトガイド。
［６］  前記第１ガイド部の一端と他端との間の間隙が、前記挿通間隙から連続した前記第２ガイド部により覆われている、前記［５］に記載のベルトガイド。
【発明の効果】
【０００７】
本発明の福祉車両によれば、固縛ベルトを挿通することで固縛ベルトの配置を規制可能なベルトガイドを備えているので、車体連結部と車椅子との間に配置される固縛ベルトをベルトガイドに挿通することにより、固縛ベルトの配置や経路をそのベルトガイドに対応させることができる。そのため、載置する車椅子の形態や大きさが種々存在しても、固縛ベルトを車体連結部から直接車椅子に到達させたり、適切な位置のベルトガイドに固縛ベルトを挿通させたりして車椅子を固縛することができ、固縛ベルトの配置や経路を車椅子の形態や大きさに適した位置に設定することができ、車室空間を使用する際に固縛ベルトが邪魔にならない。その結果、固定可能な車椅子の形態や大きさの自由度が大きく、しかも車椅子を固定していても車室空間を使用する際に固縛ベルトが邪魔にならない福祉車両を提供することができる。
【０００８】
本発明のベルトガイドによれば、第１ガイド部の凹部と第２ガイド部との間に固縛ベルトの挿通間隙が設けられているので、挿通された固縛ベルトを第１ガイド部及び第２ガイド部により囲んでガイドできるため、固縛ベルトの位置を保ち易い。そして挿通間隙が固縛ベルトを幅方向に挿脱可能な端部開口を有しているので、固縛ベルトを挿通間隙に挿通させたり、挿通間隙から離脱させる際、固縛ベルトを端部側から挿通間隙に挿通させたり離脱させたりする必要がなく、固縛ベルトの挿脱が容易である。そのため、使用するベルトガイドを自由に選択することができ、例えば車椅子の形態や大きさに適した位置のベルトガイドを使用して固縛ベルトを邪魔にならないように配置することも容易である。
【図面の簡単な説明】
【０００９】
【図１】本発明の実施形態において、福祉車両の車室内に車椅子を収容した状態の水平方向の配置の一例を示す図である。
【図２】本発明の実施形態において、福祉車両の車室内に車椅子を収容した状態の垂直方向の配置の一例を示す図である。
【図３】本発明の実施形態に係る福祉車両に使用するベルトガイドの斜視図である。
【図４】本発明の実施形態に係る福祉車両に使用するベルトガイドの分解斜視図である。
【図５】本発明の実施形態において、福祉車両の車室内に他の車椅子を収容した状態の水平方向の配置の一例を示す図である。
【発明を実施するための形態】
【００１０】
以下、図面を参照して本発明の実施形態を説明する。
本発明の実施形態に係る福祉車両は、図１及び図２に示すように、車室フロア１１に左側後席シート１２と、右側後席シート１３と、車椅子２０を載置するための載置スペース１１ａと、が設けられており、車両後方の後部開口から車椅子２０を車室内に収容可能となっている。
【００１１】
本実施形態では、左側後席シート１２及び右側後席シート１３はそれぞれ独立に車両前方側にスライド又は折り畳み可能に車室フロア１１に装着され、左側後席シート１２及び右側後席シート１３と後部開口との間の車室フロア１１の連続した領域を広げることが可能となっている。
【００１２】
本実施形態では、車両前方側に移動させた左側後席シート１２の後方側の領域が車椅子２０を載置するための載置スペース１１ａとなっている場合を以下説明するが、載置スペース１１ａを、右側後席シート１２の後方側に設定してもよい。載置スペース１１ａの車幅方向における隣接位置には右側後席シート１３を配置した状態のままでも、載置スペース１１ａに車椅子２０が載置可能な広さを有している。この載置スペース１１ａは他の車室フロア１１と区画されたり異なったりする構造とする必要はなく、車室フロア１１の一部でよい。
【００１３】
載置スペース１１ａに載置する車椅子２０の種類は特に制限がなく、例えば普通車椅子、リクライニング車椅子等であってもよい。車椅子２０の展開状態や折り畳み状態等の形態、幅や長さ等の大きさも、車室内に収容可能な範囲で任意である。
【００１４】
車室フロア１１には車椅子２０を固定するために、車椅子２０を固縛する固縛ベルト３１と、固縛ベルト３１を車体に連結するための車体連結部３２と、複数のベルトガイド４０と、が備えられている。これらのベルトガイド４０は、車室フロア１１に固定され固縛ベルト３１を挿通することで車体連結部３２と車椅子２０との間の固縛ベルト３１の配置を規制可能である。
【００１５】
固縛ベルト３１は、柔軟性を有する帯状材料により形成されており、一端側が車体連結部３２に離脱不能に連結され、他端側に車椅子２０のフレームや大車輪等に係脱可能なフック等の係合部材３３が装着されている。固縛ベルト３１は長尺に形成されており、車両後方側の車外に配置された乗り入れ前の車椅子２０まで延長して係合可能な長さとなっている。
【００１６】
車体連結部３２は、車体に固定されて固縛ベルト３１を巻取り可能なリトラクタ３２ａと、リトラクタ３２ａより前方側の車体に固定されたベルト係止部材３２ｂと、を備えている。リトラクタ３２ａは、固縛ベルト３１を常時巻取り方向に付勢しており、長尺の固縛ベルト３１の殆どを巻取り可能となっている。また衝撃荷重が負荷された際には、巻出しを阻止する機能を有している。
【００１７】
複数のベルトガイド４０のそれぞれは、図３及び図４に示すように、固定位置に固定されるベース部４１と、一端側がベース部４１に揺動自在に支持され、他端側に固縛ベルト３１の一方面及び両側縁をガイドする凹部４３が設けられた第１ガイド部４４と、第１ガイド部４４と共に揺動自在であり、凹部４３との間に固縛ベルト３１の挿通間隙４５を形成する第２ガイド部４６と、を備えている。
【００１８】
挿通間隙４５には、凹部４３の外側となる第１ガイド部４４の先端に、固縛ベルト３１を幅方向に挿脱可能な端部開口４５ａが設けられており、端部開口４５ａを通して固縛ベルト３１を幅方向に挿通間隙４５に容易に挿入でき、また取り出して離脱させることが可能となっている。
【００１９】
ベルトガイド４０のベース部４１は、車体の車室フロア１１への固定部４１ａと、固定部４１ａに固定された筒状の受け部４１ｂと、を備えている。第１ガイド部４４はパイプ材を屈曲形状に形成されており、全体の軸線が略Ｃ字状となっている。第１ガイド部４４の一端側は受け部４１ｂに回動自在に挿入されて支持されており、他端側に凹部４３が形成されている。第１ガイド部４４の凹部４３は、固縛ベルト３１の幅と同等の長さを有して直線状に設けられ、固縛ベルト３１の一方面を摺動させて支持する外側支持部４３ａと、外側支持部４３ａの両端に屈曲して設けられ、固縛ベルト３１の各側縁を摺動させて支持する側縁支持部４３ｂと、を有しており、固縛ベルト３１と接する部位が円弧状に形成されている。
【００２０】
第２ガイド部４６はパイプ材を屈曲形状に形成されたもので、全体の軸線が略Ｃ字状となっている。一端側は第１ガイド部４４の一端側にボルト止めで連結されており、第２ガイド部４６の他端側は凹部４３の内側に配置されている。第２ガイド部４６の他端側は、第１ガイド部４４の一方の側縁支持部４３ｂ及び外側支持部４３ａに沿って配置されており、これらの間の間隙が略一定に保たれて挿通間隙４５が形成されている。第２ガイド部４６の中間部は、第１ガイド部４４の一端と他端との間の間隙に配置されており、第１ガイド部４４の屈曲形状により形成されている内側空間４４ａの側周側の開口が第２ガイド部４６により塞がれている。
【００２１】
本実施形態では、このような複数のベルトガイド４０が、図１に示すように、それぞれ載置スペース１１ａに載置された車椅子２０の幅方向における互いに異なる位置となるように、車室フロア１１に固定されている。この実施形態では、車椅子２０の前方を車両前方の向きに合わせて載置するため、複数のベルトガイド４０は車幅方向に異なる位置にそれぞれ固定されている。さらにこれらは前後方向にも異なる位置となっている。
【００２２】
複数のベルトガイド４０が、それぞれ異なる位置に固定され得ることで、載置スペース１１ａに載置された車椅子２０の形態や大きさなどに応じ、近接位置に配置される最適なベルトガイド４０を選択して使用することができる。選択されたベルトガイド４０に対応して、車室フロア１１に固定されている車体連結部３２と車椅子２０との間における固縛ベルト３１の配置や経路も種々変更することができる。
【００２３】
図２に示すように幅広タイプの普通車椅子２０を載置する場合、車幅方向外側のベルトガイド４０を選択して固縛ベルト３１を挿通させて使用している。このベルトガイド４０は、右側後席シート１３のシートクッション１３ａが配置されている領域の周縁部又は周縁部より外側に固定されているため、車体連結部３２から当該ベルトガイド４０までの間は、右側後席シート１３のシートクッション１３ａの下方に固縛ベルト３１が配置されており、シートクッション１３ａの周縁部で折れ曲がり、固縛ベルト３１がこの位置から上方に向けて延びて車椅子２０に係合している。
【００２４】
次に、福祉車両及びベルトガイド４０の使用方法について説明する。
福祉車両に車椅子２０を収容するには、初期状態では係合部材３３が車体連結部３２のベルト係止部材３２ｂに接触しているので、右側後席シート１３を前方側に寄せて、固縛ベルト３１を引き出してベルトガイド４０に挿通させる。なお、次回以降は、係合部材３３がベルトガイド４０に係止された状態となるので、右側後席シート１３を前方側に寄せる必要はない。そして左側後席シート１２を前方側に移動させて載置スペース１１ａを確保する。右側後席シート１３は使用可能な状態にすることができる。次に、左右の固縛ベルト３１をそれぞれリトラクタ３２ａから引き出し、収容する幅広タイプの車椅子２０に応じて車幅方向外側のベルトガイド４０を選択して、各ベルトガイド４０の端部開口４５ａから固縛ベルト３１を挿通間隙４５に挿入して固縛ベルト３１を凹部４３に支持させる。
【００２５】
続いて、固縛ベルト３１をベルトガイド４０によりガイドしつつ、さらに引き出し、固縛ベルト３１の係合部材３３を車両後部開口の後方に配置した車椅子２０に係合させる。その際、車椅子２０を折り畳んだ状態としてもよい。そして後部開口に設けたスロープやリフト等を使用して車椅子２０を車室内に収容し、載置スペース１１ａに載置する。
【００２６】
車椅子２０の移動に伴い固縛ベルト３１の引き出し量が減少するため、固縛ベルト３１がベルトガイド４０によりガイドされつつリトラクタ３２ａが巻き取られながら、固縛ベルト３１が車椅子２０に従動する。車椅子２０が載置スペース１１ａに配置されると、車椅子２０の近接位置に存在して予め選択されたベルトガイド４０により、固縛ベルト３１の配置及び経路が規制され、この部位に折れ点が形成された状態で、固縛ベルト３１により車椅子２０が固定される。その後は左側後席シート１２を前方側へ寄せて右側後席シート１３を使用可能な状態にして、車椅子２０の固定状態を保つことができる。
【００２７】
次に、図５に示すように幅狭タイプのリクライニング車椅子２０を載置する場合には、予め一方側、例えば右側の後席シート１３及び他方側、例えば左側の後席シート１２を前方側に寄せておき、車幅方向外側のベルトガイド４０の挿通間隙４５に支持されていた固縛ベルト３１を、ベルトガイド４０の端部開口４５ａから引き出して離脱させておく。
収容する車椅子２０に応じてベルトガイド４０を選択し、当該ベルトガイド４０の端部開口４５ａから各固縛ベルト３１を挿通間隙４５に挿入して凹部４３に支持させる。車両の進行方向に向かって右側の固縛ベルト３１は図１の幅広タイプの車椅子２０の場合よりも前方側で車幅方向内側のベルトガイド４０に挿通させて車椅子２０に係合させる。車両の進行方向に向かって左側の固縛ベルト３１はベルトガイド４０を使用しないで車椅子２０に係合させる。
そして、図１の幅広タイプの普通車椅子２０の場合と同様に車椅子２０を車室に収容し、載置スペース１１ａに載置して固定する。その後は左側後席シート１２及び右側後席シート１３を前方側へ寄せた状態で車椅子２０の固定状態を保つことができる。
【００２８】
以上のような福祉車両によれば、固縛ベルト３１を挿通することで固縛ベルト３１の配置を規制可能なベルトガイド４０を備えているので、リトラクタ３２ａと車椅子２０との間に配置される固縛ベルト３１をベルトガイド４０に挿通すれば、固縛ベルト３１の配置や経路をそのベルトガイド４０に対応させることができる。
そのため、載置する車椅子２０の形態や大きさが種々存在しても、固縛ベルト３１をリトラクタ３２ａから直接車椅子２０に到達させたり、適切な位置のベルトガイド４０に固縛ベルト３１を挿通させたりして車椅子２０を固縛することができる。それ故、固縛ベルト３１の配置や経路を車椅子２０の形態や大きさに適した位置に設定でき、車室空間を使用する際に固縛ベルト３１が邪魔にならない。
特に、複数のベルトガイド４０が互いに異なる位置に固定されているので、載置する車椅子２０の形態や大きさが種々存在しても、その形態及び大きさに応じた適切な位置のベルトガイド４０を選択して固縛ベルト３１を挿通させることができ、これによりリトラクタ３２ａと車椅子２０との間に配置される固縛ベルト３１の配置を変更できる。そのため車室空間中の車椅子２０から離間した位置に固縛ベルト３１が配置されないようにし、車室空間を使用する際に固縛ベルト３１が邪魔にならないようにすることができる。
【００２９】
本実施形態の福祉車両では、車体連結部３２がリトラクタ３２ａを有するので、邪魔にならずに長尺の固縛ベルト３１を常時車体に連結しておくことができ、使い勝手がよい。
【００３０】
本実施形態の福祉車両では、載置スペース１１ａの車幅方向における隣接位置に固縛ベルト３１の配置が許容されない領域に右側後席シート１３が配設されており、少なくとも一つのベルトガイド４０が、右側後席シート１３のシートクッション１３ａが配設された領域の周縁部又は周縁部より外側に固定されている。そのため車体連結部３２から延びる固縛ベルト３１をそのベルトガイド４０に挿通して車椅子２０を固縛すれば、右側後席シート１３のシートクッション１３ａに干渉することなく固縛ベルト３１を配置することができる。これにより車室フロア１１を有効利用することができ、右側後席シート１３を配置した状態のままで車椅子２０をしっかりと固定して載置スペース１１ａに配置することが可能である。
【００３１】
本実施形態において説明したベルトガイド４０によれば、第１ガイド部４４の凹部４３と第２ガイド部４６との間に固縛ベルト３１の挿通間隙４５が設けられているので、挿通された固縛ベルト３１を第１ガイド部４４及び第２ガイド部４６により囲んでガイドできるため、固縛ベルト３１の位置を保ち易い。この挿通間隙４５に固縛ベルト３１を幅方向に挿脱可能な端部開口４５ａが設けられているので、固縛ベルト３１を挿通間隙４５に挿通させたり、挿通間隙４５から離脱させる際、固縛ベルト３１を端部側から挿通間隙４５に挿通させたり離脱させたりする必要がなく、固縛ベルト３１の挿脱が容易である。そして、使用するベルトガイド４０を自由に選択することができ、例えば車椅子２０の形態や大きさに適した位置のベルトガイド４０を使用することで固縛ベルト３１を邪魔にならないように配置することも容易である。
【００３２】
本実施形態において説明したベルトガイド４０によれば、第２ガイド部４６の一端側は第１ガイド部４４の一端側に連結され、第２ガイド部４６の他端側は凹部４３の内側に配置されているので、ベルトガイド４０の厚みを薄く形成することができ、不使用時に車室フロア１１に配置されていても邪魔になり難い。
【００３３】
本実施形態において説明したベルトガイド４０によれば、第１ガイド部４４の一端と他端との間の間隙が、挿通間隙４５から連続する第２ガイド部４６により覆われているので、固縛ベルト３１を挿通開口に収容させる際、屈曲形状の第１ガイド部４４の内側に形成された内側空間に固縛ベルト３１が入り込むことを防止でき、さらに第２ガイド部４６上で固縛ベルト３１をスライドさせて挿通開口に収容させることができる。そのため固縛ベルト３１をベルトガイド４０に挿通させるための作業が容易である。
【００３４】
実施形態は本発明の範囲内において適宜変更可能である。
【００３５】
車室フロア１１に複数のベルトガイド４０を固定した例について説明したが、車室フロア１１に一つのベルトガイド４０を固定したものであってもよい。その場合、固縛ベルト３１をベルトガイド４０に挿通する場合と挿通しない場合とで、車体連結部３２と車椅子２０への係合位置との間に配置された固縛ベルト３１の配置及び経路を変更することが可能である。
【００３６】
２本の固縛ベルト３１を用いて載置スペース１１ａに載置された車椅子２０を固定した例について説明したが、固縛ベルト３１の本数は自由であり、１本で固定できれば１本でもよく、３本以上使用することも当然に可能である。さらに固縛ベルト３１とともに他の固定手段を用いて車椅子２０の他の部位を固定することもできる。リトラクタ３２ａとして固縛ベルト３１を巻取り方向に付勢するものについて説明したが、巻き取り及び巻き出し可能な駆動装置が装着されたものであってもよい。
【００３７】
載置スペース１１ａの車幅方向の隣接位置における固縛ベルト３１の配置が許容されない領域に、右側後席シート１３が配設された例について説明したが、固縛ベルト３１の配置が許容されない領域は特に限定されるものではない。例えばこの領域が車両前後方向の隣接位置であっても本願発明を適用でき、さらにその領域にはシートに代えて又はシートとともに他の内装部品等が配設されていてもよく、シートや他の部材等が配設されていない予め設定された空間であってもよく、当該領域に固縛ベルト３１が干渉しないようにすることができる。
【符号の説明】
【００３８】
１１  車室フロア
１１ａ  載置スペース
１２  左側後席シート
１３  右側後席シート
１３ａ  シートクッション
２０  車椅子
３１  固縛ベルト
３２  車体連結部
３２ａ  リトラクタ
３３  係合部材
４０  ベルトガイド
４１  ベース部
４１ａ  固定部
４１ｂ  受け部
４３  凹部
４３ａ  外側支持部
４３ｂ  側縁支持部
４４  第１ガイド部
４４ａ  内側空間
４５  挿通間隙
４５ａ  端部開口
４６  第２ガイド部
【図１】
0006443671.tif 000002
【図２】
0006443671.tif 000003
【図３】
0006443671.tif 000004
【図４】
0006443671.tif 000005
【図５】
0006443671.tif 000006